(57)【要約】【目的】本発明は、認識用媒体及びその認識装置について、製造コストを安価にしうると共に、例えば、ホールドロックとタグなどを機械的な組み合わせ、例えばシリンダーとキーで製品化されている場合には、キーを紛失したときなどに、シリンダーも使用できなくなってしまい、全体を新しいものとしなければならないため、手間と費用が必要以上にかかってしまうことのない認識用媒体を認識する認識装置を提供することを目的とする。【構成】平板状をなす認識部形成箇所に複数の認識部が配置され、配置された各々の認識部には、貫通孔有無のいずれかが選択されて貫通孔有無情報部が構成されてなる認識用媒体と、認識用媒体が挿入される挿入部を有すると共に、各々の認識部における貫通孔有無情報部の構成を検知する検知部を有して構成され、各々の検知部が検知した検知情報により認識用媒体の特定を行うことを特徴とする。【選択図】              図１
2012251402.tif 000002
【特許請求の範囲】
【請求項１】
平板状をなす認識部形成箇所に複数の認識部が配置され、前記配置された各々の認識部には、貫通孔有無のいずれかが選択されて貫通孔有無情報部が構成されてなる認識用媒体と、
前記認識用媒体が挿入される挿入部を有すると共に、前記各々の認識部における貫通孔有無情報部の構成を検知する検知部を有して構成され、前記各々の検知部が検知した検知情報により認識用媒体の特定を行なう、
ことを特徴とする認識用媒体及びその認識装置。
【請求項２】
平板状をなす認識部形成箇所に複数の認識部が配置され、前記配置された各々の認識部には、マグネット部の有無及びマグネット部が設けられている場合における定められた位置でのＮ極あるいはＳ極セットの有無により検知情報部が構成されてなる認識用媒体と、
前記認識用媒体が挿入される挿入部を有すると共に、前記各々の認識部における検知情報部の構成を検知する検知部を有して構成され、前記各々の検知部が検知した検知情報により認識用媒体の特定を行なう、
ことを特徴とする認識用媒体及びその認識装置。
【発明の詳細な説明】
【技術分野】
【０００１】
本発明は、例えば、キー保管ボックス用のホールドロックと管理するキーを取り付けるタグなどの認識用媒体及びその認識用媒体を認識する認識装置に関するものである。
【背景技術】
【０００２】
例えば、通常、キー保管ボックスは、ホールドロックを複数用いて、キーと一体となったタグの出し入れを制御し、使用者の利用状況を記録するものとしている。
【０００３】
そして、前記タグの解放許可は、テンキー照合やRFIDカード照合で行うことが、近年では一般的である。
【０００４】
なお、タグを固有データ化する方法として、タグにRFID−ICを内蔵して、ホールドロックには読み取るリーダーを用いるものがあるが、前記リーダーが比較的高額で、キー保管ボックス用としては市場性に欠ける。
【０００５】
また、市場では、ホールドロックとタグとの機械的な組み合わせ方法を用いて製品化しているものもある。例えば、シリンダーとキーのごときである。
【０００６】
しかしながら、それらは例えばタグの紛失時にそのものを使用できなくして、新しいものとしなければならないため、手間と費用が必要以上にかかってしまうとの課題を抱えている。
【先行技術文献】
【特許文献】
【０００７】
【特許文献１】特開平７−１８９２９号公報
【発明の概要】
【発明が解決しようとする課題】
【０００８】
本発明は前記従来の課題を解決するために創案されたものであって、認識用媒体及びその認識用媒体を認識する認識装置について、その製造コストを安価にしうると共に、従来のごとく、例えば、ホールドロックとタグなどを機械的な組み合わせ、例えば、シリンダーとキーのごときで製品化されている場合には、前記キーを紛失したときなどに、シリンダーそのものも使用できなくなってしまい、全体を新しいものとしなければならないため、その手間と費用が必要以上にかかってしまうことのない認識用媒体を認識する認識装置を提供することを目的とするものである。
【課題を解決するための手段】
【０００９】
本発明による認識用媒体を認識する認識装置は、
平板状をなす認識部形成箇所に複数の認識部が配置され、前記配置された各々の認識部には、貫通孔有無のいずれかが選択されて貫通孔有無情報部が構成されてなる認識用媒体と、
前記認識用媒体が挿入される挿入部を有すると共に、前記各々の認識部における貫通孔有無情報部の構成を検知する検知部を有して構成され、前記各々の検知部が検知した検知情報により認識用媒体の特定を行なう、
ことを特徴とし、
または、
平板状をなす認識部形成箇所に複数の認識部が配置され、前記配置された各々の認識部には、マグネット部の有無及びマグネット部が設けられている場合における定められた位置でのＮ極あるいはＳ極セットの有無により検知情報部が構成されてなる認識用媒体と、
前記認識用媒体が挿入される挿入部を有すると共に、前記各々の認識部における検知情報部の構成を検知する検知部を有して構成され、前記各々の検知部が検知した検知情報により認識用媒体の特定を行なう、
ことを特徴とするものである。
【発明の効果】
【００１０】
本発明によれば、認識用媒体及びその認識用媒体を認識する認識装置について、その製造コストを安価になしうると共に、従来のごとく、例えば、ホールドロックとタグなどを機械的な組み合わせ、例えば、シリンダーとキーのごときで製品化されている場合には、前記キーを紛失したときなどに、シリンダーそのものも使用できなくなってしまい、全体を新しいものとしなければならないため、その手間と費用が必要以上にかかってしまうことのない認識用媒体を認識する認識装置を提供出来るとの優れた効果を奏する。
【図面の簡単な説明】
【００１１】
【図１】本発明による認識用媒体の構成を説明する説明図（１）である。
【図２】本発明による認識用媒体の構成を説明する説明図（２）である。
【図３】本発明による認識用媒体の構成を説明する説明図（３）である。
【図４】本発明による認識用媒体と認識装置の概略構成を説明する説明図である。
【図５】本発明による認識用媒体及び認識装置を用いた鍵保管ボックスの概略構成を説明する説明図である。
【図６】本発明による認識装置の概略構成を説明する説明図（１）である。
【図７】本発明による認識装置の概略構成を説明する説明図（２）である。
【発明を実施するための形態】
【００１２】
以下、本発明を図に示す実施例に基づいて説明する。
【実施例１】
【００１３】
図1に本発明による認識用媒体１の第１実施例を示す。
【００１４】
前記認識用媒体１は、例えば全体の形状を細長のカード型キー状に構成出来、その先端側には、平板状をなす認識部形成箇所２が形成され、該認識部形成箇所２には、複数の認識部３・・・が例えばマトリックス状に配置されて形成されている。
【００１５】
そして、前記マトリックス状に配置された各々の認識部３・・・には、貫通孔４が穿設されている場合と、貫通孔４が穿設されていない場合とをランダムに形成することが出来、この貫通孔４の有無のいずれかが選択されて認識部３が生成され、もってマトリックス状に配置された各々の認識部３・・・の全体により貫通孔有無情報部５が構成されるものとなる。
【００１６】
すなわち、図１を参照して説明すると、黒い円は貫通孔４が穿設されていない認識部３を示し、白い円は、貫通孔４が穿設されている認識部３を示している。
【００１７】
ここで、図１に示す認識用媒体１の実施例では、その認識部形成箇所２に、横に３列、縦に５列、よって合計の数１５個がマトリックス状に配置されて認識部３・・・が形成され、これら認識部３・・・の全体により貫通孔有無情報部５が形成される。
【００１８】
次に、図４において符号６は、前記認識用媒体１を認識する認識装置であり、該認識装置６は、まず前記認識用媒体１が挿入される挿入部７を有している。
【００１９】
そして、該認識装置６には、該挿入部７へ認識用媒体１が挿入されたとき、前記認識用媒体１に各々形成された認識部３・・・における貫通孔有無情報部５における情報、すなわち、貫通孔４が穿設されているか否かの情報を検知する検知部８を有してして構成されている。
【００２０】
ここで、認識装置６における前記検知部８の構成につき説明すると、図４などから理解されるように、例えば、挿入部７が構成される空間部を形成する一方側の側壁１９には、例えば検知用光であるLED光を挿入部７の他方側の側壁２０に向かって投光するLED光の投光部９が設けられ、前記他方側の側壁２０には前記投光部９からのＬＥＤ光を受光して読み取るフォトトランジスター等で構成された受光部１０が形成されている。
【００２１】
そして、前記ＬＥＤ光の投光部９及び受光部１０は、認識用媒体１に形成された認識部３・・・の数だけ設けてもかまわないし、コストを安価にすべく、挿入部７の入り口付近に３列並べて形成したものでもかまわない。
【００２２】
例えば、挿入部７の入り口付近に３列並べて形成した場合には、認識用媒体１の挿入時間の差、すなわち先に挿入される先端側より基端側に向かって挿入時間が長くなり、従ってその認識時間が長くなるとの時間差を考慮した演算によって、それぞれの位置の認識部３の判別が行われるように構成する。
【００２３】
しかして、前記ＬＥＤ光の投光部９及びその受光を行う受光部１０により構成される検知部８によって、認識部３・・・の全体により形成された貫通孔有無情報部５の各々の位置における認識部３・・・について貫通孔４が穿設されているか否かの判断がなされるものとなる。
【００２４】
すなわち、貫通孔４が穿設されている認識部３であれば、投光部９からのＬＥＤ光は受光部１０で認識され、貫通孔４が穿設されていなければ受光部１０では、ＬＥＤ光を認識し得ない。
【００２５】
上記の情報、すなわち挿入部７へ挿入された認識用媒体１における貫通孔有無の情報が受光部１０より認識装置6の受信部１５を介して制御部１１へ送信され、制御部１１により、前記挿入された認識用媒体１の特定がなされ、特定後には、記憶部１２にその認識用媒体1の登録がなされるものとなる。ここで、図６において、符号１６は送信部、符号17は入力部を示す。
【００２６】
よって、以後、挿入部７へ前記と異なる認識用媒体１が挿入されたとしても、前記の特定された認識用媒体１とは認識されないものとなる。
【００２７】
なお、本実施例では、貫通孔４の有無が１５個の認識部３で選択されるため２の１５乗の認識用媒体１が作成できることになる。
【００２８】
そして、制御部１１によって記憶部１２へ登録がなされると、挿入部７へ挿入された認識用媒体１を認識装置６の挿入部７内においてホールドすべきかどうかが判断され、登録されていればホールドがなされるものとなる。
【００２９】
また、その後、登録されていない認識用媒体１や、異なった認識用媒体１が前記の挿入部７へ挿入された場合には、ホールドがなされず、例えば挿入部７の上部にある警告灯１８が点滅し、誤挿入を使用者に知らせる動作が行われる。
【００３０】
なお、すでに、前記の操作でホールドがなされている認識用媒体１について、ホールド状態を解除したいときには、制御部１１等からの解放信号入力によって解放できる動作が行える。
【００３１】
また、認識装置６の挿入部７への認識用媒体１の挿入時に、この認識用媒体１が挿入部７に奥まで正しく挿入されているか否かを判別出来る様にするため、前記挿入部７の奥側側壁に、ＬＥＤ光の投光部９及び受光部１０などにより構成される検知部８が設けられている。
【００３２】
そして、前記認識用媒体１が挿入部７に奥まで正しく挿入されていれば、例えば、前記ＬＥＤ光の投光部９からの光が受光部１０で受光し得ないなどの構成を採用し、該状態を検知部８により検知して、認識用媒体１が挿入部７に奥まで正しく挿入されていることを判別するものとなる。
【００３３】
また、この信号を検知することにより、所定の認識用媒体１は挿入部７に挿入された状態、すなわちホールド状態であるか、あるいはホールドされていない状態なのかについても判別できるようになっている。
【実施例２】
【００３４】
次に、図２、図３は本発明の第２実施例を示す。
【００３５】
この実施例での認識用媒体１の構成は、平板状をなす認識部形成箇所２に複数の認識部３・・・が配置されていること第１実施例と同様であるが、前記配置された各々の認識部３・・・には、第１実施例の様に貫通孔４が穿設されているか否かではなく、マグネットが装着されてマグネット部１３が形成されているか、あるいはマグネットの装着がなくマグネット部１３の形成がされていないか、さらには前記マグネット部１３が形成されている場合において、例えば、認識用媒体１の先端方向側に、Ｎ極あるいはＳ極のいずれがセットされているか、さらには、先端方向側へＮ極、Ｓ極の双方がセットされていないかなどの選択を行うことにより検知情報部１４が構成されている。
【００３６】
図３では、認識用媒体１について、構成された認識部３に全てマグネットが装着され、マグネット部１３が形成された具体例を示すもので、しかもＳ極の向きが全て認識用媒体１の先端側方向にセットされたものである。
【００３７】
また、図４では、マグネットが装着されずにマグネット部１３を形成しない認識部３を含んだ例、または認識用媒体１の先端方向側に、Ｎ極あるいはＳ極双方がセットされていない認識部３を含んだ例を示したものであり、これらを組み合わせることにより第１実施例よりかなり多くの数の組み合わせからなる認識用媒体１を生成することが出来、もって多数種類の認識用媒体１を形成することが出来る。
【００３８】
次に、本実施例における認識装置６は、前記認識用媒体１が挿入される挿入部７を有していること第１実施例と同様である。
【００３９】
そして、認識装置６は、前記挿入部７へ本実施例における認識用媒体１が挿入されたとき、前記検知情報部１４における情報、すなわち、マグネットが装着されてマグネット部１３が形成されているか、あるいはマグネットの装着がなくマグネット部１３の形成がされていないか、さらに前記マグネット部１３が形成されている場合には、前記認識部３において、認識用媒体１の先端方向側に、Ｎ極あるいはＳ極のいずれがセットされているか、さらに、例えば先端方向側へＮ極、Ｓ極双方がセットされていないかなどの情報を検知するよう構成された検知部８を有している。
【００４０】
本実施例における検知部８の構成につき説明すると、図６から理解されるように、例えば、認識装置６の挿入部７の一方側あるいは他方側の側壁に、前記認識用媒体１における検知情報部１４の情報、換言すれば磁界の変化情報を読み取ることが出来るように検知部8が構成される。
【００４１】
そして、本実施例の検知部８は、一般に、例えば、ホール効果を利用して磁界を検出できるような素子、すなわちホール素子などを使用して構成されるものとなる。
【００４２】
なお、前記検知部８は、認識用媒体１に形成された認識部３・・・の数だけ設けてもかまわないし、挿入部７の入り口付近に３列並べて形成したものでもかまわないこと第１実施例と同様である。
【００４３】
挿入部７の入り口付近に３列並べて形成した場合には、認識用媒体１の挿入時間の差によって、それぞれの位置の認識部３の判別が行われるように構成する。
【００４４】
例えば、挿入部７の入り口付近に３列並べて形成した場合には、認識用媒体１の挿入時間の差、すなわち先に挿入される先端側より基端側に向かって挿入時間が長くなり、従ってその認識時間が長くなるとの時間差を考慮した演算によって、それぞれの位置の認識部３の判別が行われるように構成するのである。
【００４５】
しかして、本実施例の検知部８によって、各々の位置における認識部３・・・について、検知情報部１４における情報、すなわち、マグネットが装着されてマグネット部１３が形成されているか、あるいはマグネットの装着がなくマグネット部１３の形成がされていないか、さらに前記マグネット部１３が形成されている場合には、前記認識部３において、認識用媒体１の先端方向側に、Ｎ極あるいはＳ極のいずれがセットされているか、さらに、例えば先端方向側へＮ極、Ｓ極双方がセットされていないかなどの情報が検知されるものとなる。
【００４６】
そして、前記検知部８によって、認識部３・・・の全体により形成された検知情報部１４の各々の位置における認識部３・・・について、マグネットが装着されてマグネット部１３が形成されているか、あるいはマグネットの装着がなくマグネット部１３の形成がされていないか、さらに前記マグネット部１３が形成されている場合には、前記認識部３において、認識用媒体１の先端方向側に、Ｎ極あるいはＳ極のいずれがセットされているか、さらに、例えば先端方向側へＮ極、Ｓ極双方がセットされていないかなどの判断がなされるものとなる。
【００４７】
上記の情報、すなわち挿入部７へ挿入された認識用媒体１における前記情報が検知部８より認識装置６の受信部１５を介して制御部１１へ送信され、制御部１１により、前記挿入された認識用媒体１の特定がなされ、特定後には、記憶部１２にその登録がなされるものとなる。
【００４８】
そして、制御部１１によって記憶部１２へ登録がなされると、挿入部７へ挿入された認識用媒体１を認識装置６の挿入部７内にホールドすべきかどうかが判断され、登録されていればホールドがなされるものとなる。
【００４９】
また、その後、登録されていない認識用媒体１や、異なった認識用媒体１が前記の挿入部７へ挿入された場合には、ホールドがなされず、例えば挿入部７の上部にある警告灯１８が点滅し、誤挿入を使用者に知らせる動作が行われる。
【００５０】
なお、すでに、前記操作でホールドがなされている認識用媒体１について、ホールド状態を解除したいときには、制御部１１等からの解放信号入力によって解放できる動作が行えること第１実施例と同様である。
【００５１】
なお、実施例１と同様に、挿入部７への認識用媒体１の挿入時に、この認識用媒体１が挿入部７に奥まで正しく挿入されているか否かを判別出来る様にするため、前記挿入部７の奥側側壁に、前記検知部８が設けられている。
【００５２】
そして、前記認識用媒体１が挿入部７に奥まで正しく挿入されていれば、例えばその情報を検知部８が検知し、認識用媒体１が挿入部７に奥まで正しく挿入されていることを判別するものとなる。
【００５３】
この信号の検知により、所定の認識用媒体１が挿入部７に挿入された状態、すなわちホールド状態であるか、あるいはホールドされていない状態なのかについても判別できるようになっていることも実施例１の構成と同様にすることが出来る。
【００５４】
また、本実施例では、有効な認識用媒体１の違い数は、マグネット部ある／なしタイプで、１ウォード下、約１万通り生成することが出来る。
【００５５】
なお、ここで、一般にタグと称される認識用媒体１の認識装置６への登録方法につき説明する。
【００５６】
（登録方法）
例えば、認識装置６の基板上の登録スイッチ操作と、外部からの登録信号入力と登録用タグによる３タイプの登録方法が考えられる。
（ホールドロックが記憶できるタグの数は、ホールドロックのメモリー容量によって決まるが、現実的には数個で充分であり、標準仕様は１個である。）
【００５７】
（基板上の登録スイッチ操作）
基板上の登録スイッチを押すと挿入口（挿入部７）のLEDが点滅する。
点滅している間に登録したいタグを挿入する。
データが正しく登録されるとLEDが約１秒点灯し、消える。
【００５８】
（外部からの登録信号入力）
登録信号入力があると挿入口（挿入部７）のLEDが点滅する。
点滅している間に登録したいタグを挿入する。
データが正しく登録されるとLEDが約１秒点灯し、消える。  
【００５９】
（登録用タグ）
登録用タグを挿入し、抜くと挿入口（挿入部７）のLEDが点滅する。
点滅している間に登録したいタグを挿入する。
データが正しく登録されるとLEDが約１秒点灯し、消える。
【００６０】
次に、認識装置６と認識用媒体１の認識確認の仕方につき述べると、
いわゆるホールド型と蹴り出し型の２タイプがある。
【００６１】
ホールド型では制御部１１の解放信号を受けてタグ、すなわち認識用媒体１は取り出せる状態となるが、一定の時間内にタグを取り出さなければ再びホールドするタイプである。
【００６２】
蹴り出し型は制御部１１の解放信号を受けてタグ、すなわち認識用媒体１が跳び出すタイプである。
【００６３】
なお、それぞれにオプションで非常解錠レバー付きとすることが可能となっている。
【符号の説明】
【００６４】
１      認識用媒体
２      認識部形成箇所
３      認識部
４      貫通孔
５      貫通孔有無情報部
６      認識装置
７      挿入部
８      検知部
９      投光部
１０    受光部
１１    制御部
１２    記憶部
１３    マグネット部
１４    検知情報部
１５    受信部
１６    送信部
１７    入力部
１８    警告灯
１９    一方側の側壁
２０    他方側の側壁  
【図１】
2012251402.tif 000003
【図２】
2012251402.tif 000004
【図３】
2012251402.tif 000005
【図４】
2012251402.tif 000006
【図５】
2012251402.tif 000007
【図６】
2012251402.tif 000008
【図７】
2012251402.tif 000009